【事件の表示】
　平成１１年特許願第３７２９７１号「建物基礎を利用した収納庫」拒絶査定不服審判事件〔平成１３年　７月　６日出願公開、特開２００１−１８２３１０〕について、次のとおり審決する。
【結　論】
　本件審判の請求は、成り立たない。
【理　由】
【１】手続の経緯
　本願は、平成１１年１２月２８日に出願したものであって、平成１５年１１月４日付けで拒絶査定がなされ、これに対し、同年１２月１２日付けで拒絶査定に対する審判請求がなされるとともに平成１６年２月２３日付けで手続補正がなされ、その後、当審において、平成１６年６月９日付けで最後の拒絶理由の通知がなされ、同年８月１６日付けで意見書が提出されるとともに同年８月２５日付けで手続補正がなされたものである。
　　　　　
　　　　　
【２】平成１６年８月２５日付け手続補正についての補正の却下の決定
［補正の却下の決定の結論］
　平成１６年８月２５日付け手続補正（以下、「本件補正」という。）を却下する。
　　　　　
［理由］
〔１〕補正後の本願発明
　本件補正は、特許請求の範囲の請求項１を次のとおりに補正することを含むものである。
　「二階以上の階を有する集合住宅の地下に設けられた基礎部分を利用することで形成される収納庫であって、一階床部を天井、基礎スラブ面を床面とし、前記一階床部と基礎スラブ面との間を１５００〜２５００ｍｍ程度に施工し、前記天井と床面との間の空間を、集合住宅の態様に合わせた形状及び数を形成するように壁で仕切ることで、前記集合住宅の各戸の住人用の収納庫を形成し、さらに、前記収納庫のうち、一階の住人用の収納庫に出入りするために、一階の住人の自室と当該収納庫とを結ぶ階段部を設けるとともに、前記収納庫のうち、二階以上の住人用の収納庫の２つに挟まれるように階段室が形成され、当該住人が出入りするための階段が前記階段室に設けられており、前記二階以上の住人用の収納庫には、前記階段室からの出入りを可能とする扉が各々設けられていることを特徴とする収納庫。」（以下、「補正発明」という。）
　上記補正は、「二階以上の住人用の収納庫」及び「階段室」の構成について、「二階以上の住人用の収納庫の２つに挟まれるように階段室が形成され」と限定するものであり、特許請求の範囲の減縮を目的とするものであるから、上記補正発明が、その特許出願の際に独立して特許を受けることができるものであるか否かについて、以下に検討する。
　　　　　
〔２〕引用刊行物とそれらに記載された事項
１．当審における拒絶の理由で引用し、本願出願前に日本国内において頒布された刊行物である特開平２−１２５０７１号公報（以下、「刊行物１」という。）には、基礎を利用した床下収納庫に関して、以下の技術事項が図面とともに記載されている。
（１）「地盤を所定の深さに掘り下げると共に、掘り下げた部分の底部に梁部の頂端が地盤面より若干突出した布基礎を設けしめ、該布基礎により建物を支持せしめると共に、布基礎と床部で床下収納庫を形成せしめたことを特徴とする基礎を利用した床下収納庫。」（特許請求の範囲）
（２）「産業上の利用分野　本発明は部屋の床下が全域に渉って収納庫となる基礎を利用した床下収納庫に関するものである。」（１頁左欄１３〜１６行）
（３）「実施例　以下本発明の一実施例を図面に基づいて説明すると、1は地盤Ａを所定の深さに掘り下げると共に、掘り下げた部分の底部全域に割栗地業を施した割栗地業部であり、該割栗地業部1上面に渉って捨てコンクリート2を表面が平坦となる様に薄く打設せしめると共に、該捨てコンクリート2上に部屋の形状に沿って連続した布基礎3、3ａ…を敷設せしめ、該布基礎3、3ａ…はスラブ部4、4ａ…を捨てコンクリート2上に形成し、梁部5、5ａ…の頂端が地盤Ａ面より若干突出する様に梁部5、5ａ…の高さを相当高くせしめている。」（２頁右上欄３〜１６行）
（４）「7は布基礎3、3ａ…の内方底部で捨てコンクリート2の上面に薄く打設せしめたコンクリートであり、該コンクリート7の上面には防湿材8により防湿加工を施している。9は建物の壁体であり、該壁体9には地盤Ａ面より若干高い所定の高さとなる様に床部10を架設せしめると共に、該床部10の適宜位置に開閉自在なる出入口11を設けしめている。次に本発明に係る基礎を利用した床下収納庫の作用について説明すると、布基礎3、3ａ…の梁部5、5ａ…の高さを上方に相当高くせしめることにより床下収納庫12を設けると共に、布基礎3、3ａ…が床下収納庫12の耐力壁となり、而も建物を安全に支持せしめるのである。」（２頁左下欄１行〜１５行）
（５）「（発明の効果）　要するに本発明は、地盤Ａを所定の深さに掘り下げると共に、掘り下げた部分の底部に梁部5、5ａ…の頂端が地盤Ａ面より若干突出した布基礎3、3ａ…を設けしめ、該布基礎3、3ａ…により建物を支持せしめると共に、布基礎3、3ａ…と床部10で床下収納庫12を形成せしめたので、建物を支持するという基礎本来の目的に加えて、布基礎2、2ａ…を床下収納庫1の耐力壁と成さしめることが出来る・・・而も部屋の床下全域に渉って床下収納庫12となる為、土地を有効利用せしめることが出来る等その実用的効果甚だ大なるものである。」（２頁左下欄１６行〜右下欄１２行）
　これら（１）〜（５）の記載及び図面の記載並びに当業者の技術常識によれば、刊行物１には、以下の発明が記載されているものと認められる。
　「建物の地下に設けられ部屋の形状に沿って連続した布基礎を利用することで形成される床下収納庫であって、部屋の床部を天井、布基礎の内方底部と該布基礎に囲まれた部分において捨てコンクリート上に打設したコンクリートとの上面を床面として形成し、床下収納庫に出入りするために部屋と当該床下収納庫とを結ぶ出入口を設けた床下収納庫。」（以下、「刊行物１記載の発明」という。）
　　　　　
２．同じく、特開平８−３２６３３５号公報（以下、「刊行物２」という。）には、共同住宅に関して、以下の技術事項が図面とともに記載されている。
（１）「【請求項１】地下１階と地上２階以上の地上階を有し、各地上階を戸境壁を介して複数個の住戸に区画した共同住宅であって、地上１階の住戸は、対応する地下階に内部階段で連絡されるとともに、外部に面する独立居室を有し、さらに、この独立居室を除く地下階には、吹き抜けを通して地上階に連通された中庭に面して複数個の多目的室が形成されていることを特徴とする共同住宅。　【請求項２】前記地下階に形成された各多目的室は、それぞれ地上２階以上の各住戸に割り当てられている請求項１記載の共同住宅。」（特許請求の範囲）
（２）「【作用】地上１階と、その対応する地下階とは、内部階段で連絡されたメゾネットに形成され・・・ている。また、この独立居室を除く地下階には、吹き抜けを通して地上階に連通された中庭に面して複数個の多目的室が形成されている。この結果、居住者は、居住空間としての地上階を有するとともに、地下階に多目的に使用可能な独立した空間を占用することが可能となり、多様な空間利用を図ることができる。」（段落【０００７】【０００８】）
（３）「図１には、本発明の共同住宅1が示されている。この共同住宅1は、地下１階および地上３階で構成され、地上２階Ｆ2以上の各住戸21，22…，31，32…，は、各階において戸境壁を介して区画され、詳細には図示しないが、それぞれリビング、ダイニング、二つの寝室を有する２ＬＤＫに形成されている。また、地上１階Ｆ1の各住戸11，12…は、図２に詳細に示すように、同様に戸境壁を介して区画され、それぞれリビング、ダイニング、二つの寝室を有する２ＬＤＫに形成されているとともに、対応する地下１階Ｂ1に内部階段11ｓ…を介して連絡された独立居室11ｈ，12ｈ…を備えており（図３参照）、いわゆる、メゾネットに形成されている。」（段落【００１０】）
（４）「なお、住戸12については、部屋の構造が省略されているが、戸境壁を中心に住戸11とほぼ左右対称に形成されているものである。また、地下１階Ｂ1の、独立居室11ｈ，12ｈ…を除く空間には、図３に示すように、吹き抜けＶを通して各地上階Ｆ1，Ｆ2…に連通された中庭Ｐが形成されるとともに、この中庭Ｐに臨んでその周囲には、４個の多目的室21ｈ，22ｈ，31ｈ，32ｈが形成されている。これらの多目的室21ｈ，22ｈ，31ｈ，32ｈは、地上２階Ｆ2以上の各住戸21，22…，31，32…に割り当てられるようになっている。したがって、地上２階Ｆ2以上の各住戸21，22…，31，32…についても、居住空間としての地上階を有するとともに、多目的に使用可能な独立した空間としての地下階とを占用することができ、地上２階２Ｆ以上の各住戸21，22…，31，32…についても、地上１階Ｆ1の各住戸11，12…とほぼ同一の床面積を有するようにしている。」（段落【００１１】【００１２】）
（５）「このように、共同住宅1の各住戸は、必ず居住空間としての地上階を有するとともに、地下１階に多目的に使用可能な独立居室もしくは多目的室を有することから、これらの地下空間を、地下室のもつ優れた特性に着目して、より積極的に多様な目的に活用することができる。例えば、カラオケルームやマージャンルームといった防音室としての利用や、トレーニングルームや書斎、さらには、ストックルームとしての利用など、地上階とは内容の異なる利用が可能となる。」（段落【００１４】）
　これら（１）〜（５）の記載及び図面の記載並びに当業者の技術常識によれば、刊行物２には、以下の技術事項ａ．〜ｃ．が記載されているものと認められる。
ａ．「地下１階と地上２階以上の地上階を有し、地上２階以上の各住戸が、各階において戸境壁を介して複数個の住戸に区画されて各々２ＬＤＫに形成され、また、地上１階の各住戸が、戸境壁を介して複数個の住戸に区画されて各々２ＬＤＫに形成されている共同住宅。」
ｂ．「地上１階の各住戸には、対応する地下１階に内部階段を介して連絡された独立居室を備えており、地下１階の独立居室を除く空間には、吹き抜けを通して各地上階に連通された中庭が形成されるとともに、この中庭に臨んでその周囲には、４個の多目的室が形成され、これらの多目的室は各々扉を備えて、地上２階以上の各住戸に割り当てられていること。」
ｃ．「地下１階に設けた独立居室もしくは多目的室は、多目的に使用可能な地下空間となり、例えば、カラオケルームやマージャンルームといった防音室としての利用や、トレーニングルームや書斎、さらには、ストックルームとしての利用など、地上階とは内容の異なる利用が可能となること。」
　　　　　　
３．同じく、特開平６−３２３００５号公報（以下、「刊行物３」という。）には、蔵型収納付き建物に関して、以下の技術事項が図面とともに記載されている。
（１）「前記蔵型収納付き建物1は・・・基礎30上に２階建ての住宅が建てられている。このような実施例に係る蔵型収納付き建物1では基礎30の地盤2からの高さを１．４メートル（ｍ）の高さとし、この基礎に囲まれた建物床下空間を収納空間に利用して蔵型収納部3を構成したものである。・・・その収容空間は前記基礎30と前記建物1の床下空間によって構成される。前記基礎（以下布基礎ともいう）30は建物1の荷重を地盤2に伝えるとともに、・・・前記蔵型収納部3の外周壁30Ａ〜30Ｄ（図４参照）と内壁30ａ〜30ｈ（図４参照）とを構成している。この前記布基礎30は地盤2からの高さが１．４ｍであり、平均的な身長の大人が腰や頭を少し低くした状態で、あるいは椅子に座った状態等で自由に移動できる高さに作られており、物品の搬入や搬出に十分な高さとなっている。前記布基礎30は地盤2からの高さは１．４ｍに限定されるものではなく、軒高の制限のもとで１階部分の高さと２階部分の高さとの関係で決定されるようになっている。具体的には前記地盤2からの高さの上限は平均的な身長の大人が背伸びした状態でその手を物に届かすことができる高さ、例えば約２．２ｍ程度にすることができる。この点はそれ以上の高さとしても上部はあまり利用されないという利用効率の点からも望ましい。」（段落【００１２】〜【００１４】）
（２）「上記構成の布基礎30に建物1が建て上げられており、その建物の最下階（１階4）の床1Ａによって建物床下空間が構成されている。次に前記蔵型収納部3の配置を図４に基づいて説明する。図４に示すように外周壁30Ａ、30Ｄと内壁30ａ、30ｂに囲まれた空間に蔵型収納部3Ａが、外周壁30Ａと内壁30ｂ、30ｃ、30ｄに囲まれた空間に蔵型収納部3Ｂが、外周壁30Ａと内壁30ｃ、30ｅ、30ｆに囲まれた空間に蔵型収納部3Ｃが、外周壁30Ａ、30Ｂ、30Ｃと内壁30ｆに囲まれた空間に蔵型収納部3Ｄが、外周壁30Ｃ、30Ｄと内壁30ａ、30ｇに囲まれた空間に蔵型収納部3Ｅが、外周壁30Ｃと内壁30ｄ、30ｇ、30ｈに囲まれた空間に蔵型収納部3Ｆがそれぞれ設けられている。このようにこの実施例に係る蔵型収納付き建物１では床下空間を有効に利用して蔵型収納部3Ａ〜3Ｆが設けられており、可能な限り広いスペースで、保管に効率的な収納空間を設けることができるようになっている。なお、図４では前記蔵型収納部3Ｄのみを蔵として利用しており、前記建物床下空間の一部を蔵型収納部とした例が図示されている。前記蔵型収納部3Ｄは１階床パネル・・・を前記外周壁30Ｂと内壁30ｆ上に敷込めることができるようなものとなっており、該蔵型収納部3Ｄには１階から階段を介して出入りできるようになっている。」（段落【００１８】〜【００２０】）
　これら（１）（２）の記載及び図面の記載並びに当業者の技術常識によれば、刊行物３には、以下の技術事項が記載されているものと認められる。
　「布基礎上に建物が建て上げられており、該布基礎と建物の最下階の床とによって囲まれた建物床下空間を収納空間に利用した蔵型収納部付きの建物において、布基礎の高さが、例えば、１．４ｍ〜２．２ｍ程度であり、また、布基礎により構成する外周壁と内壁に囲まれるようにして形成した複数の蔵型収納部のうちの１つの蔵型収納部（3Ｆ）に、他の１つの蔵型収納部（3Ｄ）に連絡する階段を付設してなる蔵型収納付き建物。」
　　　　　
〔３〕対比・判断
１．補正発明と刊行物１記載の発明との対比
　そこで、補正発明と刊行物１記載の発明とを対比すると、刊行物１記載の発明の「部屋の形状に沿って連続した布基礎」，「部屋の床部」，「布基礎の内方底部と該布基礎に囲まれた部分において捨てコンクリート上に打設したコンクリートとの上面」，「床下収納庫」が、補正発明の「基礎部分」，「一階床部」，「基礎スラブ面」，「収納庫」にそれぞれ相当し、
　また、刊行物１記載の発明の「建物」と補正発明の「二階以上の階を有する集合住宅」とは何れも「住宅」である点で一致するから、両者は、
　「住宅の地下に設けられた基礎部分を利用することで形成される収納庫であって、一階床部を天井、基礎スラブ面を床面として形成した収納庫。」の点で一致し、以下の点で相違する。
＜相違点１＞
　住宅の種類について、補正発明が、二階以上の階を有する集合住宅であるのに対し、刊行物１記載の発明は、そのような住宅であるのか否か定かでない点。
＜相違点２＞
　収納庫の構造について、補正発明が、天井と床面との間の空間を、集合住宅の態様に合わせた形状及び数を形成するように壁で仕切ることで、集合住宅の各戸の住人用の収納庫を形成し、さらに、収納庫のうち、一階の住人用の収納庫に出入りするために、一階の住人の自室と当該収納庫とを結ぶ階段部を設けるとともに、収納庫のうち、二階以上の住人用の収納庫の２つに挟まれるように階段室が形成され、当該住人が出入りするための階段が階段室に設けられており、二階以上の住人用の収納庫には、階段室からの出入りを可能とする扉が各々設けられているものであるのに対し、刊行物１記載の発明は、そのようなものではない点。
＜相違点３＞
　一階床部と基礎スラブ面との間隔について、補正発明が、一階床部と基礎スラブ面との間を１５００〜２５００ｍｍ程度に施工したものであるのに対し、刊行物１記載の発明は、どの程度の間隔であるのか定かでない点。
　　　　　
２．相違点についての検討
＜相違点１について＞
　相違点１について検討するために刊行物２をみると、刊行物２には、「地下１階と地上２階以上の地上階を有し、地上２階以上の各住戸が、各階において戸境壁を介して複数個の住戸に区画されて各々２ＬＤＫに形成され、また、地上１階の各住戸が、戸境壁を介して複数個の住戸に区画されて各々２ＬＤＫに形成されている共同住宅。」（技術事項ａ．参照。）、即ち、「二階以上の階を有する共同住宅（集合住宅）」についての発明が記載されている。而して、このような刊行物２記載の発明を刊行物１記載の発明に適用することについては何ら阻害要因を認めることができないから、補正発明の上記相違点１に係る構成は、上記刊行物１，２記載の発明から当業者が容易に想到し得たものと云わざるを得ない。（但し、括弧内には補正発明における対応する部位・部材等の名称を示す。以下同様。）
＜相違点２について＞
　相違点２について検討するために刊行物２，３をみると、刊行物２記載の発明は、上記技術事項ａ．〜ｃ．を総合すると、「地下空間（天井と床面との間の空間）を、共同住宅の態様に合わせた形状及び数を形成するように壁で仕切ることで、前記共同住宅の各戸の住人用のストックルームとして利用できる独立居室もしくは多目的室（収納庫）を形成し、さらに、前記独立居室もしくは多目的室のうち、地上１階（一階）の住人用の独立居室（収納庫）に出入りするために、地上１階住人の自室と当該独立居室とを結ぶ内部階段（階段部）を設けるとともに、前記独立居室もしくは多目的室のうち、地上２階（二階）以上の住人用の多目的室の４つに囲まれるように中庭が形成され、中庭は、吹き抜けを通して各地上階に連通されており、前記地上２階以上の住人用の多目的室には、前記中庭からの出入りを可能とする扉が各々設けられたものであり、また、刊行物３には、「布基礎（基礎部分）上に建物が建て上げられており、該布基礎と建物の最下階の床とによって囲まれた建物床下空間を収納空間に利用した蔵型収納部（収納庫）付きの建物において、・・・布基礎により構成する外周壁と内壁に囲まれるようにして形成した複数の蔵型収納部のうちの１つの蔵型収納部（3Ｆ）に、他の１つの蔵型収納部（3Ｄ）に連絡する階段を付設してなる蔵型収納付き建物。」の発明が記載されている。そして、刊行物２記載の発明において、「吹き抜けを通して各地上階に連通されて」いる「中庭」には、「地上２階」以上の「各戸」の住人が立ち入ることができるように、階段等の何らかの昇降手段が連絡していることは明らかであり（そうでなければ多目的室が利用できない。尚、該「昇降手段」は、請求人が云うところの、「図１に点線で表された階段」（意見書（４）（ｉｉ）（ｂ）参照。）を指すものではない。）、しかも、集合住宅において、吹き抜け空間に階段を併設することは、例えば、特開昭５０−６００２３号公報，特開昭６１−１７６７６号公報，特開昭６３−２９３２４９号公報等に示されているように従来周知の技術であり、さらに、刊行物２記載の発明において、「４つに囲まれる」との表現が、「２つに挟まれる」との態様を包含することも明らかである。而して、このような刊行物２，３記載の発明及び周知技術を刊行物１記載の発明に適用することについては何ら阻害要因を認めることができないから、補正発明の上記相違点２に係る構成は、上記刊行物１〜３記載の発明及び周知技術から当業者が容易に想到し得たものと云わざるを得ない。
＜相違点３について＞
　相違点３について検討するために刊行物２，３をみると、刊行物２記載の発明において、「共同住宅の各戸の住人用のストックルームとして利用できる独立居室もしくは多目的室」は、「カラオケルームやマージャンルームといった防音室としての利用や、トレーニングルームや書斎」（技術事項ｃ．参照。）としての利用が可能なものであるから、その室内高は、少なくとも、「１５００〜２５００ｍｍ程度」のものと思量され、また、刊行物３記載の発明は、「複数の蔵型収納部」の外周壁と内壁とを構成する「布基礎の高さが、例えば、１．４ｍ〜２．２ｍ程度」とし、「該布基礎と建物の最下階の床とによって囲まれた建物床下空間を収納空間に利用した」ものであり、該「収納空間」についての限定事項は、補正発明の上記相違点３における「一階床部と基礎スラブ面との間を１５００〜２５００ｍｍ程度に施工したもの」との構成の範囲内のものであるから、補正発明の上記相違点３に係る構成は、上記刊行物１〜３記載の発明から当業者が容易に想到し得たもの、或いは、当業者が必要に応じて適宜なし得る設計的事項にすぎないものと云わざるを得ない。
　　　　　
３．まとめ
　そして、補正発明によって奏する効果も、刊行物１〜３記載の発明及び周知技術から普通に予測できる範囲内のものであって、格別なものがあるとは認められないから、補正発明は刊行物１〜３に記載の発明及び周知技術に基づき当業者が容易に発明をすることができたものと云わざるを得ない。
　　　　　
〔４〕むすび
　したがって、補正発明は、特許法第２９条第２項の規定により、その特許出願の際に独立して特許を受けることができないものである。
　以上のように、本件補正は、平成１５年改正前特許法第１７条の２第５項において準用する同法第１２６条第４項の規定に違反するので、特許法第１５９条第１項において読み替えて準用する同法第５３条第１項の規定により却下すべきものである。
　よって、上記［補正の却下の決定の結論］のとおり、決定する。
　　　　　
　　　　　
【３】本願発明について
〔１〕本願発明
　本願の各請求項に係る発明は、平成１６年８月２５日付けの手続補正が上記のとおり却下されたので、平成１６年２月２３日付けの手続補正書により補正された明細書及び図面の記載からみて、その特許請求の範囲の請求項１，２に記載された事項により特定される以下のとおりのものと認める。
　「【請求項１】二階以上の階を有する集合住宅の地下に設けられた基礎部分を利用することで形成される収納庫であって、一階床部を天井、基礎スラブ面を床面とし、前記一階床部と基礎スラブ面との間を１５００〜２５００ｍｍ程度に施工し、前記天井と床面との間の空間を、集合住宅の態様に合わせた形状及び数を形成するように壁で仕切ることで、前記集合住宅の各戸の住人用の収納庫と階段室とを形成し、さらに、前記収納庫のうち、一階の住人用の収納庫に出入りするために、一階の住人の自室と当該収納庫とを結ぶ階段部を設けるとともに、前記収納庫のうち、二階以上の住人用の収納庫に当該住人が出入りするための階段が前記階段室に設けられており、前記二階以上の住人用の収納庫には、前記階段室からの出入りを可能とする扉が各々設けられていることを特徴とする収納庫。
　【請求項２】（記載を省略する。）」（請求項１に係る発明を、以下、「本願発明」という。）
　　　　　
〔２〕引用刊行物とそれらに記載された事項
　これに対し、当審における拒絶の理由で引用し、本願出願前に日本国内において頒布された引用刊行物の記載事項は、上記【２】〔２〕に記載したとおりである。
　　　　　
〔３〕対比・判断
　本願発明は、上記【２】で検討した補正発明における「二階以上の住人用の収納庫の２つに挟まれるように階段室が形成され」との限定事項を省いたものである。
　そうすると、本願発明の技術事項を全て含む補正発明が、上記【２】〔３〕に記載したとおり、刊行物１〜３記載の発明及び周知技術に基づき当業者が容易に発明できたものであるから、本願発明も、刊行物１〜３記載の発明及び周知技術に基づき当業者が容易に発明できたものと云わざるを得ない。
　　　　　　
〔４〕むすび
　したがって、本願発明は、特許法第２９条第２項の規定により、特許を受けることができないものであり、本願の他の請求項に係る発明について検討するまでもなく、本願は拒絶すべきものである。
　よって、結論のとおり審決する。